(57)【要約】【課題】多数のプリントチャンネルから１つを選択するよって種々の制御モードが設定される写真プリント装置において、プリントチャンネルの選択が簡易となるプリントチャンネル選択技術を提供する。【解決手段】撮影画像データをオーダ単位で読み込む画像入力部(6a,6b)と、オーダ単位で調整される複数のプリント制御パラメータからなる制御情報によって制御モードを設定するプリントチャンネル設定部(43)と、この制御モードに基づいて撮影画像データから写真プリントを出力するプリント出力部(1B)とを備えた写真プリント装置。制御情報をコード化して作成された制御コードイメージを読み取るスキャナ(3)とこの読み取り信号を解読して制御情報を再生するコード解読部(42)とが備えられ、再生された制御情報をプリントチャンネル設定部(43)に与えることで特定の制御モードが設定される。【選択図】        図３
2005219302.tif 000002
【特許請求の範囲】
【請求項１】
撮影画像データをオーダ単位で読み込む画像入力部と、前記オーダ単位で調整される複数のプリント制御パラメータからなる制御情報によって制御モードを設定するプリントチャンネル設定部と、前記制御モードに基づいて前記撮影画像データから写真プリントを出力するプリント出力部とを備えた写真プリント装置において、
前記制御情報をコード化して作成された制御コードイメージを読み取るスキャナと前記スキャナによって読み取られた読み取り信号を解読して前記制御情報を再生するコード解読部とを備えるとともに、前記再生された制御情報を前記プリントチャンネル設定部に与えることで特定の制御モードが設定されることを特徴とする写真プリント装置。
【請求項２】
マニュアル操作で作り出された前記制御情報から前記制御コードイメージを作成するコード生成部が備えられ、前記制御コードイメージをプリントしたプリントチャンネルシートが前記プリント出力部から出力されることを特徴とする請求項１に記載の写真プリント装置。
【請求項３】
前記制御情報がマニュアル操作で新規に作り出された場合自動的に前記新規の制御情報のための制御コードイメージを含むプリントチャンネルシートが前記プリント出力部から出力されることを特徴とする請求項２に記載の写真プリント装置。
【請求項４】
前記制御情報には、プリントサイズ、プレジャッジの有無、インデックスプリントの有無、メディア出力の有無などのプリント制御パラメータが含まれており、前記制御コードイメージが二次元コードであることを特徴とする請求項１〜３のいずれか１項に記載の写真プリント装置。
【発明の詳細な説明】
【技術分野】
【０００１】
本発明は、撮影画像データをオーダ単位で読み込む画像入力部と、前記オーダ単位で調整される複数のプリント制御パラメータからなる制御情報によって制御モードを設定するプリントチャンネル設定部と、前記制御モードに基づいて前記撮影画像データから写真プリントを出力するプリント出力部とを備えた写真プリント装置に関する。
【背景技術】
【０００２】
このような写真プリント装置は、銀塩フィルムカメラで使用された写真フィルムやデジタルカメラで使用されたメモリカードから読み取られた撮影画像データを用いて半自動的に又は自動的に撮影画像をプリントした写真プリントを出力するものであるが、そのプリント処理の開始前には、写真プリントサイズ、他の画像や文字との合成編集の有無、プレジャッジの有無、同時メディア出力の有無などのプリント制御パラメータの調整が必要である。なお、複数のプリント制御パラメータをグループ化したものは制御情報又はプリントチャンネルと呼ばれ、この特定のプリントチャンネルによって写真プリント装置の特定の制御モードが設定される。
【０００３】
このために、例えば、モニタにプリントチャンネル設定のためのメニュー画面を表示させて、オーダに応じて、ペーパーの種類や大きさや面質、さらにはペーパー搬送量などの制御パラメータからなるプリントチャンネルをキーボードの特定のキー入力により設定することができる写真処理装置が提案されている（特許文献１参照。）。
【０００４】
さらには、プリントチャンネル設定画面を通じて、焼付条件（制御モード）を個別に設定する複数のプリントチャンネルのうちから所定のチャンネルを選択して写真の焼付処理を行う焼付処理部に連動し、プリントチャンネルに予め設定されている焼付情報を用いて焼付情報シートを発行する焼付情報シート発行装置も知られており、この焼付情報シートにバーコードで印画紙の焼付サイズと焼付枚数とを表示するとともに下段に焼付サイズと焼付枚数とを数値で表示した焼付情報シートを出力することで焼付金額の算出に便宜を図ることや、プリントされた焼付金額が必要な場合は客先等でバーコードリーダ等により焼付情報を読み出し、焼付サイズに対応した客先固有の焼付単価と焼付枚数とから焼付金額を算出した上で焼付情報シートを発行することも提案されている（特許文献２参照。）。
【０００５】
【特許文献１】特開２００１−１３３９００公報（段落番号００２３、図２）
【特許文献２】特開２０００−００２９４０公報（段落番号００２２−００２８、図５）
【発明の開示】
【発明が解決しようとする課題】
【０００６】
上述した従来技術では、プリントチャンネル設定画面を通じてプリントチャンネルを選択して特定の制御モードを設定することができるが、撮影画像データのためのソースメディア（写真フィルムやメモリカード）の種類が多岐にわたっていることや、出力される写真プリントの形態が多岐にわたっていることなどから写真プリント装置が多機能化し、その結果多くの制御モードつまり多くのプリントチャンネルが必要になったことから、プリントチャンネル設定画面を通じてのプリントチャンネルの選択作業では長い画面スクロールが要求されることになり、かなり面倒となってきている。わずかな制御パラメータだけが異なるプリントチャンネルをモニタ画面で見分けることもオペレータの負担となる。
【０００７】
上記実状に鑑み、本発明の課題は、多数のプリントチャンネルから１つを選択することによって特定の制御モードが設定される写真プリント装置において、プリントチャンネルの選択が簡易となるプリントチャンネル選択技術を提供することであり、さらなる課題は新規にプリントチャンネルが作られた場合でも次回から容易にこのプリントチャンネルを選択できることである。
【課題を解決するための手段】
【０００８】
上記課題を解決するため、撮影画像データをオーダ単位で読み込む画像入力部と、前記オーダ単位で調整される複数のプリント制御パラメータからなる制御情報によって制御モードを設定するプリントチャンネル設定部と、前記制御モードに基づいて前記撮影画像データから写真プリントを出力するプリント出力部とを備えた、本発明による写真プリント装置では、前記制御情報をコード化して作成された制御コードイメージを読み取るスキャナと前記スキャナによって読み取られた読み取り信号を解読して前記制御情報を再生するコード解読部とを備えるとともに、前記再生された制御情報を前記プリントチャンネル設定部に与えることで特定のプリントチャンネルの決定、つまり特定の制御モードの設定が実現する。
【０００９】
この構成では、複数のプリント制御パラメータからなる制御情報によって規定されるプリントチャンネルの決定は、この制御情報をコード化して作成された制御コードイメージをスキャナによって読み取ることによって再生される制御情報をプリントチャンネル設定部に与えることで所望のプリントチャンネルの選択が完了し、制御モードが設定されることになる。異なるプリントチャンネルに基づいて実現される多数の制御モードでの写真プリント処理が可能に構成されていても、各プリントチャンネルのための制御情報の制御コードイメージとその識別名称等を予めプリントしたシートを用意しておけば、制御モード設定作業時にオペレータに要求される仕事はプリント処理すべきオーダに適するプリントチャンネルに合致する制御コードイメージをスキャナで読み取るだけである。
【００１０】
いくら多数のプリントチャンネルを予め用意していたとしても、写真プリントに対するユーザの要求はたゆまなく変化しているので、新たなプリントチャンネル（複数のプリント制御パラメータからなる制御情報）をマニュアル操作で作り出してから設定する必要がでてくる。そのために好適な本発明の実施形態の１つでは、マニュアル操作で作り出された前記制御情報から前記制御コードイメージを作成するコード生成部が備えられ、前記制御コードイメージをプリントしたプリントチャンネルシートが前記プリント出力部から出力される。この構成を採用すると、これまで用意されなかったプリントチャンネルが新たにマニュアル操作で設定されると、そのプリントチャンネルのための制御コードイメージをこの写真プリント装置でプリント出力することができるので、以後このプリントチャンネルに基づく制御モードもその制御コードイメージをスキャナで読み取ることで設定可能となる。
【００１１】
上記構成において、前記制御情報がマニュアル操作で新規に作り出された場合自動的に前記新規の制御情報のための制御コードイメージを含むプリントチャンネルシートが前記プリント出力部から出力されるように改善すると、新規にプリントチャンネル（制御情報）が作成されると自動的に制御コードイメージが出力されるので、さらに好都合である。つまり、この写真プリント装置は自己増殖型の制御コードイメージ機能を備えていることになる。
【００１２】
写真プリント装置が多機能化すると、前記制御情報には、プリントサイズ、プレジャッジの有無、インデックスプリントの有無、メディア出力の有無などの多数のプリント制御パラメータが含まれることになり、制御情報のデータ容量が大きくなる。このため、制御コードイメージをバーコードのような低データ容量タイプとするとこのコードを検索キーとする制御情報のデータベースが必要となり、その管理に手間がかかるので、制御コードイメージを二次元コード、好ましくはＱＲコードとすることで、大容量化した制御情報をそのままコード化することができ、好都合である。
本発明によるその他の特徴及び利点は、以下図面を用いた実施形態の説明により明らかになるだろう。
【発明を実施するための最良の形態】
【００１３】
図１は本発明による写真プリント装置を示す外観図であり、この写真プリント装置は、印画紙Ｐに対して露光処理と現像処理とを行うプリント出力部としてのプリントステーション１Ｂと、現像済み写真フィルムＭａやデジタルカメラ用メモリカードＭｂから取り込んだ撮影画像データを処理してプリントステーション１Ｂで使用されるプリントデータの生成・転送及びプリントステーション１Ｂに対する制御コマンドの生成・転送などを行う操作ステーション１Ａとから構成されている。
【００１４】
この写真プリント装置はデジタルミニラボとも称せられるものであり、図２からよく理解できるように、プリントステーション１Ｂは２つの印画紙マガジン１１に納めたロール状の印画紙Ｐを引き出してシートカッター１２でプリントサイズに切断すると共に、このように切断された印画紙Ｐに対し、バックプリント部１３で色補正情報やコマ番号などのプリント処理情報を印画紙Ｐの裏面に印字するとともに、デジタル露光部１４で印画紙Ｐの表面に撮影画像の露光を行い、この露光後の印画紙Ｐを複数の現像処理槽を有した処理槽ユニット１５に送り込んで現像処理する。乾燥の後に装置上部の横送りコンベア１６からソータ１７に送られた印画紙Ｐ、つまり写真プリントＦＰは、このソータ１７の複数のトレイ１７ａにオーダ単位で仕分けられた状態で集積される（図１参照）。なお、後で詳しく説明するが、この写真プリント装置における制御モードの設定に用いられる、オーダ単位（顧客から受けた写真プリント出力注文の単位で通常は写真フィルムＭａ１本分ないしはメモリカードＭｂ１つ分）で調整される複数のプリント制御パラメータからなる制御情報をコード化して作成された制御コードイメージ、この実施形態では二次元コードであるＱＲコードとその制御情報の内容を文字で示すコメントとが形成されたプリントチャンネルシート２も写真プリントＦＰと同様に適切にカットされた印画紙Ｐにデジタル露光部１４で露光された後処理槽ユニット１５で現像処理されることで横送りコンベア１６に出力され、トレイ１７ａに載置される。なお、上記の複数のプリント制御パラメータからなる制御情報は制御操作上ではプリントチャンネルとも呼ばれており、ここでも複数のプリント制御パラメータとしての制御情報と制御操作上の語句としてのプリントチャンネルが適宜使い分けられている。
【００１５】
上述した印画紙Ｐに対する各種処理に合わせた搬送速度で印画紙Ｐを搬送するために印画紙搬送機構１８が敷設されている。印画紙搬送機構１８は、印画紙搬送方向に関して露光部１４の前後に配置されたチャッカー式印画紙搬送ユニット１８ａを含む複数の挟持搬送ローラ対から構成されている。
【００１６】
デジタル露光部１４には、副走査方向に搬送される印画紙Ｐに対して、主走査方向に沿って操作ステーション１Ａからのプリントデータに基づいてＲ（赤）、Ｇ（緑）、Ｂ（青）の３原色のレーザ光線の照射を行うライン露光ヘッドが設けられている。処理槽ユニット１５は、発色現像処理液を貯留する発色現像槽１５ａと、漂白定着処理液を貯留する漂白定着槽１５ｂと、安定処理液を貯留する安定槽１５ｃを備えている。
【００１７】
前記操作ステーション１Ａのデスク状コンソールの上部位置には、写真フィルムＭａの撮影画像コマから撮影画像データを取得するフィルムスキャナ６ａや、デジタルカメラ等に装着されるメモリカードＭｂなどから撮影画像データを取得するメディアリーダ６ｂなどで構成される画像入力部が配置されるが、この実施形態では、メディアリーダ６ｂは、取り込まれた撮影画像データをＣＤ−ＲやＤＶＤ−Ｒなどの記録メディアに書き込むデータ出力用ドライブ７などとともに、この写真プリント装置のコントローラユニット４として機能する汎用パソコンに組み込まれている。この汎用パソコンには、さらに、プリントチャンネルシート２にプリントされているＱＲコードを読み取るハンディスキャナ３、各種情報を表示するモニタ５、各種設定や調整を行う際に用いる操作入力部として利用されるキーボード８ａやマウス８ｂなども接続されている。
【００１８】
この写真プリント装置のコントローラユニット４では、ＣＰＵを中核部材として、写真プリント装置の種々の動作を行うための機能部がハードウエア又はソフトウエアあるいはその両方で構築されているが、図３に示されているように、本発明に特に関係する機能部としては、フィルムスキャナ６ａやメディアリーダ６ｂによって読み取られた撮影画像データやハンディスキャナ３で読み取られたコード画像データを一時的に記憶するメモリ４０と、各種ウインドウや各種操作ボタンなどを含むグラフィック操作画面の作成やそのようなグラフィック操作画面を通じてのユーザ操作入力（キーボード８ａやマウス８ｂなどによる）から制御コマンドなどを生成・転送するグラフィックユーザインターフェース（以下ＧＵＩと略称する）を構築するＧＵＩ部４１と、ハンディスキャナ３で読み取られたコード画像データを解読して元の複数の制御パラメータからなる制御情報に再生するコード解読部４２と、このコード解読部４２から送られる制御情報やＧＵＩ部４１によって提供されるプリントチャンネル設定画面を通じてマニュアル操作によって各制御パラメータを選択していくことで生成された制御情報に基づいてプリントチャンネルを作り出すことでこの写真プリント装置の制御モードを決定するプリントチャンネル設定部４３と、マニュアル操作によって生成された制御情報をＱＲコード化してＱＲコードイメージデータを生成するコード生成部４４と、各ＱＲコードイメージとこれに該当する制御情報の内容を示す文字情報であるコメントを組み合わせていってプリントチャンネルシート２のためのプリントデータを生成するプリントチャンネルシートデータ生成部４５と、プリントチャンネルシート２のためのプリントデータを格納しておくプリントチャンネルデータテーブル４５ａと、プリントチャンネル設定部４３によって設定されたプリントチャンネルに基づいてあるいは付加的にＧＵＩ部４１から送られてきた制御コマンドに基づいて種々のプリント出力のための処理制御を行うプリント管理部４６と、このプリント管理部４６からの命令に基づいてメモリ４０に展開されている画像データに対する画像処理を行う画像処理部４７と、解像度変換や色補正等の画像処理を施された最終的な画像データをプリントステーション１Ｂに装備されているデジタル露光部１４に適したプリントデータに変換するプリントデータ生成部４８と、プリント枚数の設定などのプリント設定画面及び色補正等のプレジャッジ作業時にプリントソース画像や予想仕上がりプリント画像としてのシミュレート画像を表示するプレジャッジ画面といったＧＵＩ部４１から送られてきたグラフィックユーザインターフェースを構築するグラフィックデータをモニタ５に表示させるためのビデオ信号を生成するビデオ制御部４９と、顧客の要望に応じて生の撮影画像データや画像処理が完了した処理済み撮影画像データなどをＣＤ−Ｒに書き込むための形式にフォーマットするフォーマッタ部５０などが挙げられる。
【００１９】
この写真プリント装置で実行される制御モード、つまりプリントチャンネルによって規定されるプリント条件の一覧が図４に示されている。これに類似した一覧リストはプリントチャンネル一覧画面としてモニタ５に表示される。各プリントチャンネルは連番のチャンネルＮｏとチャンネル名称によって区分けされており、その属性値である制御パラメータとしては、一般的な写真プリントやポストカードやアルバムプリントなどのプリント様式を規定するプリントタイプ、ポジやネガの写真フィルムＭａや各種メモリカードＭｂを規定する入力メディア、他の画像との合成や文字の編集が必要かどうかを規定する編集プリント、出力される写真プリントＦＰの大きさを規定するプリントサイズ、色補正等を撮影画像コマ単位で行うプレジャッジ作業の有無を規定するプレジャッジ、取り込まれた撮影画像データをＣＤ−ＲやＤＶＤ−Ｒなどの記録メディアに記録するかどうかを規定する出力メディア、インデックスプリントの要否やその大きさを規定するインデックスプリントなどがある。
【００２０】
これらのプリントチャンネルを構成する全てのデータは、予めＱＲコード化され、典型的な属性値をテキスト化したコメント欄とともにこの写真プリント装置によって図５に示すようなプリントチャンネルシート２としてプリント出力されている。図５の例では、プリントチャンネルシート２には、プリントチャンネルの全情報をコード化したＱＲコードとその右側に対応するプリントチャンネルのコメント欄が１つのプリントチャンネル区画として配置されており、そのようなプリントチャンネル区画が２列でプリントされている。従って、このプリントチャンネルシート２から写真プリント装置に対して設定したいプリントチャンネル、つまり写真プリント装置の制御モードを見つけ出し、そのＱＲコードをハンディスキャナ３で読み取ることで、コード解読部４２、プリントチャンネル設定部４３の働きで、写真プリント装置は所望の制御モードで稼働することになる。
【００２１】
所望するプリントチャンネルがプリントチャンネルシート２に掲載されていない場合には、マニュアル操作によって新規のプリントチャンネルを作り出して、設定する必要がある。マニュアル操作によるプリントチャンネル設定作業を行うには、メニュー画面から図６に示すような新規プリントチャンネル設定画面を呼び出し、自動的に設定されるチャンネルＮｏ以外のチャンネル名称や各属性値の入力は各入力欄を利用して行うが、属性値の入力欄にはデフォルト値が設定されているので、変えたい属性値だけをプルダウンメニューを利用して選択していくだけでよい。全ての入力が完了すると、決定ボタンを押すことで、この新規プリントチャンネル設定画面を通じて決定されたプリントチャンネルはプリントチャンネル設定部４３において写真プリント装置の現プリントチャンネルとして設定され、この写真プリント装置は該当制御モードで稼働することになる。
【００２２】
マニュアル操作によるプリントチャンネル設定作業によって作り出されたプリントチャンネルのデータはコード生成部４４に送られ、ここで所定のフォーマットでＱＲコード化されたイメージが生成される。このＱＲコードイメージがプリントチャンネルシートデータ生成部４５に送られるとともに、マニュアル操作によるプリントチャンネル設定作業によって作り出されたプリントチャンネルによって規定されるプリント条件のテキストデータもプリントチャンネルシートデータ生成部４５に送られる。プリントチャンネルシートデータ生成部４５は、この新規のプリントチャンネルのためのＱＲコードイメージとテキストデータをプリントチャンネルデータテーブル４５ａから読み出したこれまでのプリントチャンネルシート用データに組み込んで、新たなプリントチャンネルシート用データを生成する。この新たなプリントチャンネルシート用データは適当な時点でプリントデータ生成部４８からプリントステーション１Ｂに転送され、そこで、新規のプリントチャンネルが追加されたプリントチャンネルシート２が、又は新規のプリントチャンネルのみがプリントされたプリントチャンネルシート２が出力される。このプリントチャンネルシート２を用いれば、新規にマニュアル操作で作られたプリントチャンネルもそのＱＲコードの読み込みによる設定が可能となる。
【００２３】
このように構成された写真プリント装置において、制御モードの設定、つまりプリントチャンネル選択設定を含むプリント注文処理の典型的な流れを図７のフローチャートを用いて説明する。
まず、予め作成されている図５に示されているようなプリントチャンネルシート２に顧客の注文に合致するプリントチャンネルが掲載されているかどうかをチェックする（＃０１）。所望のプリントチャンネルがプリントチャンネルシート２に掲載されている場合には（＃０１Yes分岐）、そのプリントチャンネルのＱＲコードをハンディスキャナ３を使って読み取る（＃０２）。ハンディスキャナ３からの読み取り信号はコントローラ４のコード解読部４２で複数の制御パラメータを含む制御情報に再生される（＃０３）。再生された制御情報はプリントチャンネル設定部４３に転送され、特定の制御モードが設定される（＃０４）。
【００２４】
所望のプリントチャンネルがプリントチャンネルシート２に掲載されていない場合には（＃０１No分岐）、図６に示すようなプリントチャンネル設定画面を呼び出し（＃０５）、各入力欄に所望の値を入力する（＃０６）。プリントチャンネル設定画面の全ての入力欄への入力を完了して決定ボタンをクリックするとこの新規プリントチャンネルが選択されたプリントチャンネルとして決定される（＃０７）。これらのプリントチャンネルを構成するデータを一時的に格納しておく（＃０８）と同時に、新規プリントチャンネル作成フラッグを立てておく（＃０９）。
【００２５】
ハンディスキャナ３を用いたＱＲコードの読み取りを通じて自動的に、又はプリントチャンネル設定画面を用いたマニュアル操作によって、プリントチャンネル設定が完了すると、よく知られたプリント処理ルーチンが開始され（＃１０）、設定されたプリントチャンネルに基づく図８に示されるようなプリント初期画面を表示する。
【００２６】
例えば、入力メディアがネガフィルムＭａとすると、このプリント処理ルーチンでは、まずフィルムスキャナ６ａによってスキャニング処理され、その撮影画像データがメモリ４０にロードされていく。ネガフィルムＭａの全ての撮影画像コマのスキャニングが完了すると、これまでメモリ４０にロードされた撮影画像データを用いたプリント準備処理のスタートがトリガーされる。このプリント準備処理では、画像データの濃度補正、コントラスト補正、鮮鋭化処理、色補正、解像度変換といった良く知られた画像処理が施され、最終的にプリントデータ化され、プリントステーション１Ｂのデジタル露光部１４に送られ、写真プリントＦＰが出力される。また、設定されたプリントチャンネルがプレジャッジ作業を含むものであれば、図８で示されたプリント初期画面から図９で示されたプレジャッジ画面に切り換えられ、このオーダに属する全ての画像コマに対して個別の色補正やプリント枚数の変更などが行われ、最終的にプリントデータ化され、プリントステーション１Ｂのデジタル露光部１４に送られ、写真プリントＦＰが出力される。さらに、メディア出力も注文されている場合には、メモリ４０にロードされた撮影画像データがフォーマット部５０にも送り込まれ、所定のフォーマットでこれらの画像データをドライブ７を用いてＣＤ−Ｒ等の記録メディアに書き込まれる。
【００２７】
ステップ＃１１のプリント処理ルーチンが完了すると（コントローラ４の能力が可能であればプリント処理ルーチンと同時でも良い）、新規のプリントチャンネルが決定されたかどうか、つまり新規プリントチャンネル作成フラッグが立てられているかどうかチェックされる（＃１１）。今回のプリントチャンネルが新規のものではない場合（＃１１No分岐）、このプリント注文処理ルーチンは終了するが、今回のプリントチャンネルが新規のものであった場合（＃１１Yes分岐）、コード生成部４４は一時的に格納されている新規プリントチャンネルを構成する制御パラメータ等のデータを読み込んでＱＲコード化する（＃１２）。コード生成部４４で生成されたＱＲコードイメージがプリントチャンネルシートデータ生成部４５に送られるとともに、マニュアル操作によるプリントチャンネル設定作業によって作り出されたプリントチャンネルのデータのテキストデータもプリントチャンネルシートデータ生成部４５に送られ、プリントチャンネルシートデータ生成部４５でこの新規のプリントチャンネルのためのＱＲコードイメージとテキストデータをプリントチャンネルデータテーブル４５ａから読み出したこれまでのプリントチャンネルシート用データに組み込んで、新たなプリントチャンネルシート用データを生成する（＃１３）。この新たなプリントチャンネルシート用データは適当な時点でプリントデータ生成部４８からプリントステーション１Ｂのデジタル露光部１４に送られ、新たなプリントチャンネルシート２が出力され（＃１４）、このプリント注文処理ルーチンが終了する。
【００２８】
上述した実施の形態では、プリントチャンネルシート２にプリントされたＱＲコードを読み取って複数の制御パラメータ（制御情報＝プリントチャンネル）を生成するために、ハンディスキャナ３とこのハンディスキャナ３が読み取ったコード画像データを解読して複数の制御パラメータを再生するコード解読部４２が用いられたが、この構成に代えて、ハンディスキャナ機能とコード解読機能を統合したコードリーダを用いてこのコードリーダからの出力信号を直接プリントチャンネル設定部４３に直接入力する構成を採用してもよい。
【００２９】
さらに上述した実施の形態では、プリントステーション１Ｂは、印画紙Ｐに対し、レーザ式露光エンジンを備えた露光部１４で撮影画像の露光を行い、この露光後の印画紙Ｐを複数の現像処理する、いわゆる銀塩写真プリント方式を採用していたが、もちろん、本発明におけるプリントステーション１Ｂは、このような方式に限定されるわけではなく、例えば、フィルムや紙にインクを吐出して画像を形成するインクジェットプリント方式や感熱転写シートを用いた熱転写方式など、種々の写真プリント方式を採用することができる。
【産業上の利用可能性】
【００３０】
本発明は、プリントチャンネルの設定を機械的に読み取り可能なコードを使って行われるとともに、このプリントチャンネル設定に利用されるコードを自ら出力することができる画像出力装置の技術分野に広く利用することができる。
【図面の簡単な説明】
【００３１】
【図１】本発明による写真プリント装置を示す外観図
【図２】写真プリント装置を構成するプリントステーションの説明図
【図３】操作ステーションに搭載されたコントローラの機能を示す機能ブロック図
【図４】プリントチャンネルの内容を説明する一覧表
【図５】プリントチャンネルシートの一例を示す平面図
【図６】プリントチャンネル設定画面の一例を示すモニタ画面図
【図７】写真注文処理ルーチンを示すフローチャート
【図８】プリント初期画面の一例を示すモニタ画面図
【図９】プレジャッジ画面の一例を示すモニタ画面図
【符号の説明】
【００３２】
１Ａ：操作ステーション
１Ｂ：プリントステーション（プリント出力部）
２：プリントチャンネルシート
３：ハンディスキャナ
４：コントローラ
６ａ：フィルムスキャナ（画像入力部）
６ｂ：メディアリーダ（画像入力部）
４１：ＧＵＩ部
４２：コード解読部
４３：プリントチャンネル設定部
４４：コード生成部
４５：プリントチャンネルシートデータ生成部
４６：プリント管理部
４７：画像処理部
４８：プリントデータ生成部
【図１】
2005219302.tif 000003
【図２】
2005219302.tif 000004
【図３】
2005219302.tif 000005
【図４】
2005219302.tif 000006
【図５】
2005219302.tif 000007
【図６】
2005219302.tif 000008
【図７】
2005219302.tif 000009
【図８】
2005219302.tif 000010
【図９】
2005219302.tif 000011